(57)【要約】【課題】小型化を維持しつつ多極化に対応したコネクタを提供する。【解決手段】コネクタ１０は、配列された複数のコンタクト３０を有する。これら複数のコンタクト３０には、第１コンタクト３１と第２コンタクト３２との２種類のコンタクトが存在する。第１コンタクト３１は、第１半田接続部３１ａを有する。この第１半田接続部３１ａは、ハウジング２０の略長方形状の長辺からハウジング２０の外側に突き出ている。また、第２コンタクト３２は、第２半田接続部３２ａを有する。この第２半田接続部３２は、ハウジングの、その長辺よりも内側に設けられている。これら第１コンタクト３１と第２コンタクト３２は、交互に配列されている。そして、ハウジング２０には、第２半田接続部３２を視認させる、第２コンタクト３２に個別に対応づけられた複数の窓２１が形成されている。【選択図】図１
2016152083.tif 000002
【特許請求の範囲】
【請求項１】
平面視で略長方形状を有するハウジングと、該ハウジングの、略長方形状の長辺に沿って配列された複数のコンタクトとを備えた、基板に実装されるコネクタであって、
前記複数のコンタクトが、交互に配列された、前記長辺から前記ハウジングの外側に突き出た第１半田接続部を有する第１コンタクトと、前記ハウジングの、前記長辺よりも内側に設けられた第２半田接続部を有する第２コンタクトとからなり、
前記ハウジングが、基板上に配置されたときの前記第２半田接続部の半田付け状態を視認させる、前記第２コンタクトに個別に対応づけられた複数の窓を有することを特徴とするコネクタ。
【請求項２】
前記複数のコンタクトが、前記ハウジングの略長方形状の２つの長辺それぞれに沿って配列された第１コンタクト列と第２コンタクト列を形成し、該長辺に交わる幅方向に、該第１コンタクト列を構成する該第１コンタクトと該第２コンタクト列を構成する該第２コンタクトとが並ぶとともに該第１コンタクト列を構成する該第２コンタクトと該第２コンタクト列を構成する該第１コンタクトとが並ぶ配列を有し、
前記複数の窓が、前記第１コンタクト列を構成する前記第２コンタクトの前記第２半田接続部に対応する第１窓と、前記第２コンタクト列を構成する前記第２コンタクトの前記第２半田接続部に対応する第２窓とが交互に千鳥配列された複数の窓であることを特徴とする請求項１記載のコネクタ。
【発明の詳細な説明】
【技術分野】
【０００１】
本発明は、基板表面に実装されるコネクタに関する。
【背景技術】
【０００２】
従来より、基板（フレキシブル基板を含む）に表面実装されるタイプのコネクタが多用されている。このタイプのコネクタには、小型化、低背化が求められている。
【０００３】
近年ではさらに、小型化等を維持したまま、多極化が求められている。これを実現するために、コンタクトどうしの間隔を狭める狭ピッチ化が検討されている。
【０００４】
ここで、特許文献１には、コンタクトの基板接続部を、平面視でのハウジングの外側だけでなく内側にも配列することで、多極化を実現したコネクタが開示されている。
【先行技術文献】
【特許文献】
【０００５】
【特許文献１】特表２０００−５１６０２８号公報
【発明の概要】
【発明が解決しようとする課題】
【０００６】
特許文献１に開示されているコネクタの場合、平面視でのハウジングの内側に、コンタクトの基板接続部の配列部分が存在する。そして、ハウジングには、その配列部分に、大きく広がる開口が形成されている。これにより、コンタクトの基板接続部の、基板への半田付けの状態を視認することができ、信頼性の高い半田付けを可能としている。
【０００７】
しかしながら、この特許文献１に開示されているコネクタの場合、大きく広がる開口が形成されていることから、小型化には不向きの構造となっている。すなわち、この特許文献１に開示されるコネクタを小型化しようとすると、大きな開口のためハウジングの強度の低下を避けることができない。
【０００８】
本発明は、上記事情を鑑み、小型化を維持しつつ多極化に対応したコネクタを提供することを目的とする。
【課題を解決するための手段】
【０００９】
上記目的を達成する本発明のコネクタは、平面視で略長方形状を有するハウジングと、そのハウジングの、略長方形状の長辺に沿って配列された複数のコンタクトとを備えた、基板に実装されるコネクタであって、
上記複数のコンタクトが、交互に配列された、上記長辺からハウジングの外側に突き出た第１半田接続部を有する第１コンタクトと、ハウジングの、上記長辺よりも内側に設けられた第２半田接続部を有する第２コンタクトとからなり、
上記ハウジングが、基板上に配置されたときの第２半田接続部の半田付け状態を視認させる、第２コンタクトに個別に対応づけられた複数の窓を有することを特徴とする。
【００１０】
本発明のコネクタは、そのハウジングに、第２半田接続部の半田付け状態を視認させる、第２コンタクトに個別に対応づけられた複数の窓が形成されている。これらの窓１つ１つは、第２半田接続部１つ１つを視認させるだけの極く小さな窓で済む。したがって、ハウジングの強度を十分に保持することができ、小型化を維持しつつ狭ピッチ化に対応するコネクタが実現する。
【００１１】
ここで、本発明のコネクタにおいて、上記複数のコンタクトが、ハウジングの略長方形状の２つの長辺それぞれに沿って配列された第１コンタクト列と第２コンタクト列を形成し、長辺に交わる幅方向に、第１コンタクト列を構成する第１コンタクトと第２コンタクト列を構成する第２コンタクトとが並ぶとともに第１コンタクト列を構成する第２コンタクトと第２コンタクト列を構成する第１コンタクトとが並ぶ配列を有し、上記複数の窓が、第１コンタクト列を構成する第２コンタクトの第２半田接続部に対応する第１窓と、第２コンタクト列を構成する第２コンタクトの第２半田接続部に対応する第２窓とが交互に千鳥配列された複数の窓からなることが好ましい。
【００１２】
このような千鳥配列にすることにより、狭ピッチ化されたコネクタであっても第２半田接続部どうしを十分に離間させることができ、電気的特性が良好に維持される。また、窓どうしが十分に離間することから、ハウジングの強度も維持されると共に、ハウジングの成形時に樹脂の流れを阻害しない。
【発明の効果】
【００１３】
以上の本発明によれば、小型化を維持しつつ多極化に対応したコネクタが実現する。
【図面の簡単な説明】
【００１４】
【図１】本発明の一実施形態のコネクタの斜視図である。
【図２】図１に斜視図を示すコネクタの平面図（Ａ）と底面図（Ｂ）である。
【図３】図１に示す本実施形態のコネクタと相手コネクタの、嵌合時の姿勢を示した斜視図である。
【図４】図３に示す姿勢におけるコネクタの平面図である。
【図５】図４に示す矢印Ａ−Ａに沿う断面図（Ａ）と矢印Ｂ−Ｂに沿う断面図（Ｂ）である。
【図６】基板上の半田接続パッドの配列を示した図である。
【発明を実施するための形態】
【００１５】
以下、本発明の実施の形態を説明する。
【００１６】
図１は、本発明の一実施形態のコネクタの斜視図である。
【００１７】
また、図２は、図１に斜視図を示すコネクタの平面図（Ａ）と底面図（Ｂ）である。
【００１８】
コネクタ１０は、ハウジング２０と、複数のコンタクト３０と、補強金具４０とを備えている。
【００１９】
ハウジング２０は、平面視で略長方形状を有する。複数のコンタクト３０は、その略長方形状の長辺に沿って配列されている。コンタクト３０は、例えば０．２５ｍｍピッチという、極めて狭ピッチで配列されたコンタクトである。また、補強金具４０は、ハウジング２０の略長方形状の長手方向両端部に取り付けられ、不図示の基板への実装強度を補強する金具である。
【００２０】
ここで、複数のコンタクト３０は、交互に配列された第１コンタクト３１と第２コンタクト３２とを有する。第１コンタクト３１と第２コンタクト３２とでは、半田接続部３０ａの形状が異なる。すなわち、第１コンタクト３１は、上記の長辺からハウジング２０の外側に突き出た形状の第１半田接続部３１ａを有する。一方、第２コンタクト３２は、ハウジング２０の、その長辺よりも内側に設けられた第２半田接続部３２ａを有する。
【００２１】
これらの第１半田接続部３１ａおよび第２半田接続部３２ａは、このコネクタ１０が搭載される基板（例えばフレキシブル基板）に半田付けされる。また、両端部の補強金具４０も、その基板上に半田付け固定される。
【００２２】
ハウジング３０には、第２コンタクト３２に個別に対応付けられた小さな窓２１が形成されている。これらの窓２１は、このコネクタ１０が基板に搭載されたときに、第２半田接続部３２ａの半田付け状態を確認するための窓である。この窓２１から半田付け状態を確認することで、半田付けの高い信頼性が確保される。
【００２３】
また、窓２１は、第２コンタクト３２に個別に対応する小さな窓であり、この窓２１が形成されていても、ハウジング２０は、十分な強度に維持される。
【００２４】
また、複数のコンタクト３０は、ハウジング２０の略長方形状の２つの長辺それぞれに沿って配列された第１コンタクト列３０Ａと第２コンタクト列３０Ｂとを形成している。第１コンタクト列３０Ａと第２コンタクト列３０Ｂは、それらのいずれにおいても、第１コンタクト３１と第２コンタクト３２が交互に配列されている。ただし、長辺に交わる幅方向に関しては、第１コンタクト列３０Ａを構成する第１コンタクト３１と、第２コンタクト列３０Ｂを構成する第２コンタクト３２とが並んでいる。また、これと同様に、幅方向に関し、第１コンタクト列３０Ａを構成する第２コンタクト３２と、第２コンタクト列３０Ｂを構成する第１コンタクト３１とが並んでいる。
【００２５】
したがって、この配列に伴い、複数の窓２１についても、第１コンタクト列３０Ａに対応する第１窓２１Ａと、第２コンタクト列３０Ｂに対応する第２窓２１Ｂが交互に千鳥形状に配列されている。ここで、第１窓２１Ａは、第１コンタクト列３０Ａを構成する第２コンタクト３２の第２半田接続部３２ａの半田付け状態を視認させる窓である。また、第２窓２１Ｂは、第２コンタクト列３０Ｂを構成する第２コンタクト３２の第２半田接続部３２ａの半田付け状態を視認させる窓である。上述の通り、第１コンタクト列３０Ａと第２コンタクト列３０Ｂのいずれにおいても、第１コンタクト３１と第２コンタクト３２が交互に配列されている。このため、第１窓２１Ａおよび第２窓２１Ｂのいずれについても、長辺方向の配列ピッチは、コンタクト３０の倍の間隔に広がっている。また、第１コンタクト列３０Ａと第２コンタクト列３０Ｂとでは、第２コンタクト３２の配列が１ピッチ分ずれている。このため、第２半田接続部３２ａどうし、および窓２１どうしが千鳥配列となっている。これにより、第２半田接続部３２ａどうしの間隔、および窓２１どうしの間隔が広がり、良好な電気特性が確保され、また、ハウジング２０の強度が確保されている。
【００２６】
図３は、図１に示す本実施形態のコネクタと相手コネクタの、嵌合時の姿勢を示した斜視図である。
【００２７】
また、図４は、図３に示す姿勢におけるコネクタの平面図である。
【００２８】
この図４には、コネクタ１０の、図２（Ｂ）に示す底面が示されている。そして、その周囲に、相手コネクタ５０の上面の輪郭部分が示されている。
【００２９】
本実施形態のコネクタ１０は、図３に示すように、図１や図２（Ａ）に示す上面を相手コネクタ５０に向けた姿勢で、相手コネクタ５０と嵌合する。
【００３０】
この相手コネクタ５０も、ハウジング６０と、複数のコンタクト７０と、補強金具８０とを備えている。本実施形態のコネクタ１０のコンタクト３０が２列に配列されていることに対応して、相手コンタクト５０のコンタクト７０も、２列に配列されている。
【００３１】
この相手コネクタ５０も、不図示の基板（例えばリジッドな基板）上に表面実装される。
【００３２】
また、これらのコンタクト７０には、半田接続部７１の違いにより、２種類が存在する。すなわち、これらのコンタクト７０には、第１半田接続部７１ａを有するコンタクトと、第２半田接続部７１ｂを有するコンタクトとが存在する。第１半田接続部７１ａは、ハウジング６０の長辺から大きく突き出ている。一方、第２半田接続部７１ｂは、ハウジング６０の長辺から僅かに食み出た位置にある。これら第１半田接続部７１ａを有するコンタクト７０と第２半田接続部７１ｂを有するコンタクト７０は、長辺に沿って交互に配列されている。但し、この相手コネクタ５０の場合、本実施形態のコネクタ１０とは異なり、長辺に交わる幅方向には、第１半田接続部７１ａを有する２つのコンタクトが並んでいる。また、これと同様に、この相手コネクタ５０の場合、第２半田接続部７１ｂを有する２つのコンタクト７０が幅方向に並んでいる。
【００３３】
図５は、図４に示す矢印Ａ−Ａに沿う断面図（Ａ）と矢印Ｂ−Ｂに沿う断面図（Ｂ）である。
【００３４】
図５（Ａ）には、本実施形態のコネクタ１０に関しては、第１コンタクト列３０Ａに並ぶ第１コンタクト３１と第２コンタクト列３０Ｂに並ぶ第２コンタクト３２が示されている。第１コンタクト列３０Ａに並ぶ第１コンタクト３１は、ハウジング２０から突き出た第１半田接続部３１ａを有する。また、第２コンタクト列３０Ｂに並ぶ第２コンタクト３２は、ハウジング２０の窓２１（第２窓２１Ｂ）から視認される位置に配置された第２半田接続部３２ａを有する。一方、この図５（Ａ）には、相手コネクタ５０に関しては、ハウジング６０から大きく突き出た第１半田接続部７１ａを有する２つのコンタクト７０が示されている。
【００３５】
また、図５（Ｂ）には、本実施形態のコネクタ１０に関しては、第１コンタクト列３０Ａに並ぶ第２コンタクト３２と第２コンタクト列３０Ｂに並ぶ第１コンタクト３１が示されている。第１コンタクト列３０Ａに並ぶ第２コンタクト３２は、ハウジング２０の窓２１（第１窓２１Ａ）から視認される位置に配置された第２半田接続部３２ａを有する。また、第２コンタクト列３０Ｂに並ぶ第１コンタクト３１は、ハウジング２０から突き出た第１半田接続部３１ａを有する。一方、相手コネクタ５０に関しては、この図５（Ｂ）には、ハウジング６０から僅かに覗く位置に配置された第２半田接続部７１ｂを有する２つのコンタクト７０が示されている。
【００３６】
図６は、基板上の半田接続パッドの配列を示した図である。
【００３７】
図６（Ａ）には、本実施形態のコネクタ１０のコンタクト３０が半田接続されるパッドの配列が示されている。また、図６（Ｂ）には、相手コネクタ５０のコンタクト７０が半田接続されるパッドの配列が示されている。
【００３８】
また、図６（Ａ−２），（Ｂ−２）は、それぞれ、図６（Ａ），（Ｂ）に示す円Ｒの部分の拡大図である。
【００３９】
これらの図に示すように、パッド２９，７９は、千鳥に配列されている。互いに近接したパッド２９，７９については、角が削られた形状に形成されている。また、コンタクト３０，７０の半田接続部３０ａ，７０ａの、パッド２９，７９に接する部分も、この図６にハッチングを付して示すように、パッド２９，７９と相似形を成している。
【００４０】
これにより、パッド２９どうしの間隔およびパッド７９どうしの間隔が確保され、半田付け時のブリッジの発生が防止される。
【００４１】
なお、ここでは、複数のコンタクト３０が第１コンタクト列３０Ａと第２コンタクト列３０Ｂとの２列に配列されたコネクタ１０を例に挙げて説明した。ただし、複数のコンタクトが１列に並んだコネクタであっても、本発明を適用することができる。
【符号の説明】
【００４２】
１０    コネクタ
２０    ハウジング
２１    窓
２１Ａ  第１窓
２１Ｂ  第２窓
３０    複数のコンタクト
３０ａ  半田接続部
３１    第１コンタクト
３１ａ  第１半田接続部
３２    第２コンタクト
３２ａ  第２半田接続部
４０    補強金具
５０    相手コネクタ
６０    ハウジング
７０    コンタクト
７０ａ  半田接続部
７１ａ  第１半田接続部
７１ｂ  第２半田接続部
【図１】
2016152083.tif 000003
【図２】
2016152083.tif 000004
【図３】
2016152083.tif 000005
【図４】
2016152083.tif 000006
【図５】
2016152083.tif 000007
【図６】
2016152083.tif 000008